(57)【要約】【課題】帯電微粒子水を安定して供給することができるとともに、使用者に不快感を与えることを十分に防止することができる空気清浄効果の高い電気掃除機の提供。【解決手段】電動送風機を内蔵する電動送風機室と、帯電微粒子水を発生させる静電霧化装置と、外気を吸気し帯電微粒子水を空気中へ排出させる送風機と、を有しており、帯電微粒子水を空気中へ排出する排出口が設けられた静電霧化装置収納室と、電動送風機室と静電霧化装置収納室とを連通するとともに、電動送風機の排気風の一部を静電霧化装置収納室内に流入させる連通通路と、電動送風機の電流値を検出し、検出した電流値に基づいて静電霧化装置への通電を制御する制御部と、を備えた電気掃除機。【選択図】図２
2011224105.tif 000002
【特許請求の範囲】
【請求項１】
吸引風を発生させる電動送風機を内蔵する電動送風機室と、
帯電微粒子水を発生させる静電霧化装置と、外気を吸気し前記帯電微粒子水を空気中へ排出させる送風機と、を有しており、前記帯電微粒子水を空気中へ排出する排出口が設けられた静電霧化装置収納室と、
前記電動送風機室と前記静電霧化装置収納室とを連通するとともに、前記電動送風機の排気風の一部を前記静電霧化装置収納室内に流入させる連通通路と、
前記電動送風機の電流値を検出し、検出した前記電流値に基づいて前記静電霧化装置への通電を制御する制御部と、
を備えた電気掃除機。
【請求項２】
前記制御部は、前記電流値から前記電動送風機の風量を算出し、算出した前記風量に基づいて前記静電霧化装置への通電を制御する請求項１に記載の電気掃除機。
【請求項３】
前記制御部は、前記風量が予め定められた所定値以下である場合、前記静電霧化装置への通電をＯＦＦする請求項２に記載の電気掃除機。
【請求項４】
前記制御部は、前記静電霧化装置への通電をＯＦＦした際に、前記送風機への通電もＯＦＦする請求項３に記載の電気掃除機。
【請求項５】
前記制御部は、前記風量が予め定められた所定値以下である場合、前記静電霧化装置への通電を間欠制御する請求項２に記載の電気掃除機。
【発明の詳細な説明】
【技術分野】
【０００１】
本発明は、電気掃除機に関する。
【背景技術】
【０００２】
従来の電気掃除機においては、電動送風機の排気経路にイオン発生器を配置させる構成が提案されている（例えば、特許文献１参照）。
【０００３】
すなわち、図９に示すように、電動送風機１０２を内蔵する電動送風機室１０３と、電動送風機室１０３の前方に配置されており、塵埃を捕集する集塵袋１０４を内蔵する集塵室１０５と、を有する電気掃除機本体１０１において、電気掃除機本体１０１の後方の上部にはイオン発生器１３５が配置されており、イオン発生器１３５で発生させた大量のイオンを、電動送風機１０２の排気の一部を利用して大気に放出させて、浮遊する塵埃を広範囲に帯電させた後、このイオンで帯電された塵埃を集塵袋１０４で、捕集させる構成が提案されている。
【０００４】
また、近年は、被付着物に付着し当該被付着物の脱臭及び除菌を行う脱臭及び除菌作用を有するナノメータサイズのマイナスイオンミスト（帯電微粒子水）を生成させる静電霧化装置が知られている（例えば、特許文献２参照）。
【０００５】
すなわち、図１０に示すように、静電霧化装置２０４は、放電極２０１と、放電極２０１に対向して位置する対向電極２０２と、放電極２０１に空気中の水分を結露又は氷結させて水を供給する水供給手段２０３とを備え、水供給手段２０３は、冷却部２０５と放熱部２０６とを有するペルチェユニット２０７の冷却部２０５に放電極２０１を設けて構成されており、放電極２０１と対向電極２０２との間に高電圧を印加することで放電極２０１に保持される水を霧化させ、ナノメータサイズのマイナスイオンミストＭ（帯電微粒子水）を生成する構成が提案されている。
【０００６】
上述の特許文献１に記載の従来の電気掃除機においては、イオン発生器によって発生されたイオンを電動送風機の排気の一部を利用して部屋中に放出させ、室内で対流させることにより、空気中に浮遊している塵埃を帯電させ捕集する構成であるため、イオンにより帯電した空気中の塵埃が被清掃面に落下するまでに時間が必要であった。また、上述の特許文献１に記載の従来の電気掃除機においては、空中に浮遊しているウィルス、雑菌、及びカビ菌などを十分に脱臭及び除菌することができず、十分な空気清浄効果が得られない場合があった。
【０００７】
そのため、空気中の塵埃を被清掃面に早く落下させるとともに、空中に浮遊しているウィルス、雑菌、及びカビ菌などを十分に脱臭及び除菌し、空気清浄効果を向上させるべく、上述の特許文献１に記載の従来の電気掃除機に、上述の特許文献２に記載の従来の静電霧化装置を組み合わせた構成を有する電気掃除機が提案されている（例えば、特許文献３参照）。
【先行技術文献】
【特許文献】
【０００８】
【特許文献１】特開２００８−２１２３８９号公報
【特許文献２】特開２００６−６８７１１号公報
【特許文献３】特開２００９−２５４７８６号公報
【発明の概要】
【発明が解決しようとする課題】
【０００９】
しかしながら、単に、上述の特許文献１に記載の従来の電気掃除機に、上述の特許文献２に記載の従来の静電霧化装置を組み合わせただけでは、帯電微粒子水を安定して供給するとともに使用者に不快感を与えることを十分に防止するという観点からは未だ改善の余地があることを本発明者らは見出した。
【００１０】
すなわち、上述の特許文献１に記載の従来の電気掃除機においては、電動送風機の排気の一部によってイオンを空気中に放出させている。上述の特許文献１に記載の電気掃除機と同様に、ナノメータサイズのマイナスイオンミスト（帯電微粒子水）を電動送風機の排気のみで直接放出させる構成とした場合、電動送風機の排気風に含まれる電動送風機の熱によってマイナスイオンミストが消滅してしまう場合があった。
【００１１】
また、一般的に、使用者が掃除を開始し、集塵袋に塵埃が捕集されてくると、電動送風機の吸引風の風量が徐々に低下し、電動送風機の排気風の風量も徐々に低下する。上述の特許文献１に記載の電気掃除機においては、電動送風機の排気の一部によってイオンを空気中に放出させているため、電動送風機の排気風の風量が低下すると、静電霧化装置に供給される排気風の風量も少なくなる。静電霧化装置に供給される排気風の風量が少なくなると、静電霧化装置の高電圧部で発生したオゾンの濃度が高くなり、静電霧化装置の電極部周辺のオゾン濃度が極小的に高くなり、樹脂の劣化を加速させる場合があった。また、オゾン濃度が高い状態のまま空気中へ放出されると、使用者の呼吸器系統、眼、粘膜等へ刺激を与える場合があり、使用者に不快感を与える場合があった。
【００１２】
そこで、外気を吸気する送風機を電動送風機とは別体に設け、この送風機のみによりナノメータサイズのマイナスイオンミスト（帯電微粒子水）を放出させる構成も考えられるが、この場合、電動送風機の排気風に含まれる電動送風機の熱によってマイナスイオンミストが消滅してしまうことは十分に防止できるが、送風機が異常停止してしまった場合や送風機が外気を取り込む吸気口穴が長期使用により徐々に塵埃で塞がれてしまった場合、使用者が気づかずに掃除を継続すると、送風機から静電霧化装置に供給される外気の風量も少なくなる。その結果、静電霧化装置の高電圧部で発生したオゾンの濃度が高くなり、静電霧化装置の電極部周辺のオゾン濃度が極小的に高くなり、樹脂の劣化を加速させる場合があった。また、オゾン濃度が高い状態のまま空気中へ放出されると、使用者の呼吸器系統、眼、粘膜等へ刺激を与える場合があり、使用者に不快感を与える場合があった。
【００１３】
本発明は、上記従来技術の有する課題に鑑みてなされたものであり、帯電微粒子水を安定して供給することができるとともに、使用者に不快感を与えることを十分に防止することができる空気清浄効果の高い電気掃除機を提供することを目的とする。
【課題を解決するための手段】
【００１４】
上記従来技術の有する課題を解決するために、本発明は、吸引風を発生させる電動送風機を内蔵する電動送風機室と、帯電微粒子水を発生させる静電霧化装置と、外気を吸気し帯電微粒子水を空気中へ排出させる送風機と、を有しており、帯電微粒子水を空気中へ排出する排出口が設けられた静電霧化装置収納室と、電動送風機室と静電霧化装置収納室とを連通するとともに、電動送風機の排気風の一部を静電霧化装置収納室内に流入させる連通通路と、電動送風機の電流値を検出し、検出した電流値に基づいて静電霧化装置への通電を制御する制御部と、を備えた電気掃除機を提供する。
【００１５】
上述のように、本発明の電気掃除機においては、送風機により吸気された外気と電動送風機の排気風の一部とにより帯電微粒子水を空気中へ排出させるとともに、制御部が電動送風機の電流値を検出し、検出した電流値に基づいて静電霧化装置への通電を制御する構
成としている。
【００１６】
これにより、静電霧化装置でのオゾン濃度の上昇を十分に抑制することができるため、使用者に不快感を与えることを十分に防止することができるとともに、帯電微粒子水を安定して供給することができる。また、帯電微粒子水を空気中の塵埃に付着させ、空気中の塵埃に帯電微粒子水の質量を付加することで、空気中の塵埃を早く被清掃面に落下させることができ、空気中の塵埃の捕集効率を向上させることができる。さらに、空中に浮遊しているウィルス、雑菌、及びカビ菌などに帯電微粒子水を付着させることで、空中に浮遊しているウィルス、雑菌、及びカビ菌などを十分に脱臭及び除菌することができ、
空気清浄効果の高い電気掃除機を提供することができる。
【発明の効果】
【００１７】
本発明の電気掃除機によれば、帯電微粒子水を安定して供給することができるとともに、使用者に不快感を与えることを十分に防止することができる空気清浄効果の高い電気掃除機を提供することができるようになる。
【図面の簡単な説明】
【００１８】
【図１】本発明の電気掃除機の実施の形態１における斜視外観図
【図２】本発明の電気掃除機の実施の形態１における掃除機本体の断面図
【図３】本発明の電気掃除機の実施の形態１における静電霧化装置の外観図
【図４】本発明の電気掃除機の実施の形態１における制御ブロック図
【図５】本発明の電気掃除機の実施の形態１におけるオゾン濃度と集塵袋の塵埃捕集量との関係を示すグラフ
【図６】本発明の電気掃除機の実施の形態１における空気清浄効果を示すグラフ
【図７】本発明の電気掃除機の実施の形態２における制御ブロック図
【図８】本発明の電気掃除機の実施の形態２におけるオゾン濃度と集塵袋の塵埃捕集量との関係を示すグラフ
【図９】従来の電気掃除機における掃除機本体の断面図
【図１０】従来の静電霧化装置における外観図
【発明を実施するための形態】
【００１９】
第１の発明は、吸引風を発生させる電動送風機を内蔵する電動送風機室と、帯電微粒子水を発生させる静電霧化装置と、外気を吸気し帯電微粒子水を空気中へ排出させる送風機と、を有しており、帯電微粒子水を空気中へ排出する排出口が設けられた静電霧化装置収納室と、電動送風機室と静電霧化装置収納室とを連通するとともに、電動送風機の排気風の一部を静電霧化装置収納室内に流入させる連通通路と、電動送風機の電流値を検出し、検出した電流値に基づいて静電霧化装置への通電を制御する制御部と、を備えた電気掃除機としたものである。
【００２０】
これにより、静電霧化装置でのオゾン濃度の上昇を十分に抑制することができるため、使用者に不快感を与えることを十分に防止することができるとともに、帯電微粒子水を安定して供給することができる。また、帯電微粒子水を空気中の塵埃に付着させ、空気中の塵埃に帯電微粒子水の質量を付加することで、空気中の塵埃を早く被清掃面に落下させることができ、空気中の塵埃の捕集効率を向上させることができる。さらに、空中に浮遊しているウィルス、雑菌、及びカビ菌などに帯電微粒子水を付着させることで、空中に浮遊しているウィルス、雑菌、及びカビ菌などを十分に脱臭及び除菌することができ、空気清浄効果の高い電気掃除機を提供することができる。
【００２１】
第２の発明は、特に第１の発明において、制御部は、電流値から電動送風機の風量を算出し、算出した風量に基づいて静電霧化装置への通電を制御するものである。
【００２２】
これにより、静電霧化装置収納室へ流入する排気風の風量をより正確に検出することができるため、オゾン濃度の上昇をより確実に抑制することができる。
【００２３】
第３の発明は、特に第２の発明において、制御部は、風量が予め定められた所定値以下である場合、静電霧化装置への通電をＯＦＦするものである。
【００２４】
これにより、静電霧化装置でのオゾン濃度の上昇を十分に抑制することができるため、使用者に不快感を与えることを十分に防止することができる。
【００２５】
第４の発明は、特に第３の発明において、制御部は、静電霧化装置への通電をＯＦＦした際に、送風機への通電もＯＦＦするものである。
【００２６】
これにより、無駄な電力を消費することなく、確実に静電霧化装置でのオゾン濃度の上昇を十分に抑制することができるため、使用者に不快感を与えることを十分に防止することができる。
【００２７】
第５の発明は、特に第２の発明において、制御部は、風量が予め定められた所定値以下である場合、静電霧化装置への通電を間欠制御するものである。
【００２８】
これにより、静電霧化装置でのオゾン濃度の上昇を十分に抑制することができるため、使用者に不快感を与えることを十分に防止することができる。
【００２９】
以下、図面を参照しながら本発明の電気掃除機の好適な実施形態について詳細に説明する。なお、以下の説明では、同一または相当部分には同一符号付し、重複する説明は省略する。
【００３０】
（実施の形態１）
本発明の実施の形態１について、図１〜図６を用いて説明する。
【００３１】
図１は、本発明の電気掃除機の実施の形態１における斜視外観図である。また、図２は、本発明の電気掃除機の実施の形態１における掃除機本体の断面図である。さらに、図３は、本発明の電気掃除機の実施の形態１における静電霧化装置の外観図である。また、図４は、本発明の電気掃除機の実施の形態１における制御ブロック図である。さらに、図５は、本発明の電気掃除機の実施の形態１におけるオゾン濃度と集塵袋の塵埃捕集量との関係を示すグラフである。また、図６は、本発明の電気掃除機の実施の形態１における空気清浄効果を示すグラフである。
【００３２】
図１に示すように、電気掃除機（図示せず）は、主として、掃除機本体１と、被清掃面の塵埃を吸引する吸込具１０と、一端が掃除機本体１に着脱自在に接続されるホース８と、一端がホース８に接続され、他端が吸込具１０に接続される伸縮自在或いは継ぎ自在の延長管９とから構成されている。
【００３３】
吸込具１０は、被清掃面の塵埃を掻き上げる回転ブラシ１１と、ベルト１２を介して回転ブラシ１１を回転駆動させる電動機１３とを内蔵している。
【００３４】
ホース８の延長管９側の端部には手元操作部６が設けられており、この手元操作部６からの信号に基づき、後述する制御部３０が電動送風機２の各種の動作モード（強・中・弱・切などの吸込み力）を制御している。また、ホース８の掃除機本体１側の端部には、吸込具１０から吸い込まれた塵埃の量を検出する塵埃検出部７が設けられている。塵埃検出
部７は、発光素子７ａと受光素子７ｂとから構成されており、発光素子７ａと受光素子７ｂとは対向して配置されている。塵埃検出部７は、発光素子７ａと受光素子７ｂとの間を塵埃が通過した際に、受光素子７ｂによる受光が塵埃によって遮られることで生じるパルス波形を検出しており、このパルス波形によって塵埃の量を検出している。
【００３５】
掃除機本体１は、主として、吸引風を発生させる電動送風機２を内蔵する電動送風機室２０（図２参照）と、電動送風機２の上流側に着脱自在に配置されており、吸込具１０から吸い込まれた塵埃を捕集するエレクトリック加工された集塵袋３とから構成されている。集塵袋３は、ポリプロプレン等の熱可塑性繊維で形成されており、吸引風等で摩擦されることで帯電する。
【００３６】
掃除機本体１には、集塵袋３内に塵埃が捕集されるとともに低下する電動送風機２の吸引風の風量を電動送風機２の電流値から算出する風量検出部３８を有する制御部３０が配置されている。
【００３７】
また、掃除機本体１の後方下部の両側には、走行用の車輪４が回転自在に取付けられている。また、掃除機本体１の前方の底面には、同じく走行用のキャスター５が取付けられている。
【００３８】
図２に示すように、掃除機本体１の後方の上部、すなわち、電動送風機室２０の上方には、電動送風機室２０とは樹脂等で分離された静電霧化装置収納室２１が設けられている。この静電霧化装置収納室２１には、帯電微粒子水を発生させる静電霧化装置３３と、静電霧化装置３３を制御する静電霧化装置制御部２２と、外気を吸気し帯電微粒子水を空気中へ放出し拡散させる気流を発生させる送風機３５とが内蔵されている。
【００３９】
静電霧化装置収納室２１には吸気口３６が設けられており、送風機３５は、この吸気口３６から外気を吸気する。吸気口３６には、フィルター５１が着脱自在に設けられており、送風機３５が外気を吸気する際に、吸込口３６から静電霧化装置収納室２１内に空気中の塵埃が侵入することを防止している。また、静電霧化装置収納室２１の後方には帯電微粒子水放出口３７が設けられており、帯電微粒子水は、送風機３５によって吸気された外気により帯電微粒子水放出口３７から空気中へ放出される（図中、矢印Ｘ）。
【００４０】
また、掃除機本体１の後方には、電動送風機２の排気風を排出する主排気口２９が設けられており、帯電微粒子水は、この主排気口２９から排出された排気風（図中、矢印Ｙ）によっても室内に拡散されるように構成されている。
【００４１】
さらに、電動送風機室２０と静電霧化装置収納室２１とは、連通通路５０によって連通されており、この連通通路５０を通って電動送風機２の排気風の一部（図中、矢印Ｚ）が静電霧化装置収納室２１内へと流入し、帯電微粒子水放出口３７から放出されるように構成されている。
【００４２】
図３及び図４に示すように、静電霧化装置３３は、ペルチェ素子２３と、ペルチェ素子２３の冷却側に接続された針状電極２５と、ペルチェ素子２３の放熱側に接続された放熱フィン２４とから構成されている。また、針状電極２５の先端側には、アース電極２６が配置されている。針状電極２５及び放熱フィン２４は、ペルチェ素子２３と電気的には絶縁されているが、ペルチェ素子２３と温度伝達的には接続されている。ペルチェ素子２３に電圧が印加されると、ペルチェ素子２３の冷却側に接続された針状電極２５が冷却されるとともに、ペルチェ素子２３の放熱側に接続された放熱フィン２４によりペルチェ素子２３の放熱側で発生した熱が放熱される。
【００４３】
図３及び図４に示すように、静電霧化装置制御部２２は、針状電極２５とアース電極２６との間に高電圧を印加する高電圧発生部２７と、ペルチェ素子２３に電圧を印加する直流電源部２８とから構成されている。
【００４４】
図４に示すように、制御部３０は、マイクロコンピュータなどで構成されており、電動送風機２の吸引風の風量を電動送風機２の電流値から算出する風量検出部３８を有している。制御部３０は、使用者が操作する手元操作部６及び塵埃検出部７からの信号を取り込み、その信号をもとに、電動機駆動部３２及び電動送風機駆動部３１を位相制御するための点弧パルスを出力する制御を行う。電動機駆動部３２及び電動送風機駆動部３１は、制御部３０からの信号に基づき、それぞれ電動機１３及び電動送風機２を制御する。電動送風機駆動部３１は、双方向性サイリスタなどで構成されており、電動送風機２を位相制御し吸込み力を可変させる。
【００４５】
また、制御部３０は、静電霧化装置駆動部４０を制御することで、静電霧化装置３３を動作させる静電霧化装置制御部２２に電力を供給し、静電霧化装置３３を制御している。静電霧化装置制御部２２に電力を供給されると、高電圧発生部２７及び直流電源部２８に電力が供給され、針状電極２５、アース電極２６、及びペルチェ素子２３に電圧が印加される。さらに、制御部３０は、送風機３５を制御している。
【００４６】
以上のように構成された電気掃除機について、以下、その動作、作用を説明する。
【００４７】
例えば、使用者が手元操作部６を操作して、電動送風機２の動作モードとして、吸引力の強い「強」を選択した場合、制御部３０は、手元操作部６からの信号に基づき、電動送風機駆動部３１及び電動機駆動部３２に予め定められた信号を送り、電動送風機２及び電動機１３を駆動させる。これにより、被清掃面上の塵埃が回転ブラシ１１によって掻き揚げられ、電動送風機２で発生された吸引風によって吸込具１０から吸引される。吸引された塵埃は、延長管９及びホース８を介して、掃除機本体１内の集塵袋３で捕集される。図２中、矢印Ｙで示すように、電動送風機２からの排気風（塵埃が除去された後電動送風機を通過した吸引風）は、掃除機本体１の後方に設けられた主排気口２９から掃除機本体１の外部へ排気されるとともに、その一部は、図２中、矢印Ｚで示すように、連通通路５０を介して静電霧化装置収納室２１内へと流入し、帯電微粒子水放出口３７から放出される。
【００４８】
制御部３０は、電動送風機２及び電動機１３を駆動させるのと同時に、送風機３５を動作させる。これにより、図２中の矢印Ｘに示すように、吸気口３６から外気が吸気され、吸気された外気は静電霧化装置３５へと送風され、帯電微粒子水放出口３７から掃除機本体１の外部へと放出される。
【００４９】
また、制御部３０は、送風機３５を動作させるとともに、静電霧化装置駆動部４０に信号を送り、静電霧化装置制御部２２に電力を供給し、高電圧発生部２７及び直流電源部２８を動作させる。直流電源部２８は、ペルチェ素子２３に電圧を印加し、針状電極２５を冷却する。針状電極２５が冷却されると、針状電極２５の周辺の水分が結露して、針状電極２５上に水が生成される。このとき、針状電極２５とアース電極２６との間には、高電圧発生部２７によって高電圧（例えば、約６０００Ｖ）が印加されているため、針状電極２５とアース電極２６との間でコロナ放電が発生し、針状電極２５上に生成された水に高電圧が印加され、帯電微粒子水（例えば、直径５〜２０ｍｍ）が生成される。
【００５０】
静電霧化装置３３によって生成された帯電微粒子水は、送風機３５によって吸気された外気及び連通通路５０を介して静電霧化装置収納室２１内へと流入した電動送風機２の排気風の一部によって、帯電微粒子水放出口３７から掃除機本体１の外部へと放出される。
【００５１】
ここで、図５に示すように、帯電微粒子水放出口３７を流れる帯電微粒子水を掃除機本体１外部へと放出させる放出風の風量は、送風機３５の送風風量Ａと連通通路５０を通過した電動送風機２の排気風の風量Ｂとを合わせた風量Ａ＋Ｂとなる。集塵袋３に捕集された塵埃の量が多くなってくると、電動送風機２の吸引風の風量が低下し、連通通路５０を通過する電動送風機２の排気風の風量Ｂから風量Ｃへと低下する。そのため、帯電微粒子水放出口３７を流れる放出風の風量は、風量Ａ＋Ｂから風量Ａ＋Ｃへと低下し、帯電微粒子水放出口３７の近傍でのオゾン濃度が上昇する。
【００５２】
そこで、制御部３０には、電動送風機２の吸引風の風量の所定値が予め記憶されている。制御部３０は、風量検出部３８によって算出された電動送風機２の吸引風の風量が所定値以下である場合、すなわち、電動送風機２の排気風の風量そのものが少なく、連結通路５０を通過した電動送風機２の排気風の風量が少ない場合、静電霧化装置制御部２２への通電をＯＦＦすることにより、静電霧化装置３３をＯＦＦし、帯電微粒子水放出口３７近傍のオゾン濃度の増加を抑制する。また、このとき、送風機３５によって静電霧化装置３３への送風を行う必要はないため、制御部３０は、送風機３５への通電をＯＦＦする。これにより、無駄な電力の消費を抑制することができる。
【００５３】
吸引力が標準の「中」を選択した場合及び吸引力の低い「弱」を選択した場合についても使用者が電動送風機２の動作モードとして「強」を選択した場合と同様の制御を行うことで、各種の動作モードにおいて確実に帯電微粒子水放出口３７近傍のオゾン濃度を抑制することができる。
【００５４】
ここで、従来の電気掃除機と本実施の形態の電機掃除機とを用いて、空気清浄機の規格ＪＥＭ１４６７の試験法に準じた試験結果について説明する。試験は２０〜３０立方メートルの測定室内でタバコ吸煙機でタバコ５本を発煙させ、タバコ吸煙機と同程度の撹拌ファンを運転させながら濃度分布を一定にする。その後、電気掃除機を運転させながら、粒子径０．３μｍのタバコの煙の減衰率を時間毎に測定するものである。
【００５５】
図６に示すように、運転時間５分後の比較では本実施の形態の電気掃除機の除去率が、従来の電気掃除機より約２０％良い結果であった。これは従来の電気掃除機に比べ、タバコの煙をより早く床面に沈降させて、集塵していることが、グラフより読み取れる。今回用いたタバコの煙も浮遊塵埃のひとつであるが、浮遊塵埃としては、様々な粒子径の物が存在し、最大では約１μｍの大きさの物まで存在する。また、沈降性塵埃でも花粉等は、数十μｍの粒子径で浮遊している時間も長い。浮遊している粒子径の大きなものほど、より多くのマイナスイオンミストが付着帯電できるので、床面へのより早い沈降が期待できるものである。
【００５６】
以上のように、本実施の形態においては、電動送風機２の吸引風の風量が所定値よりも高い場合においては、帯電微粒子水放出口３７から放出される帯電微粒子水は、送風機３５によって吸気された外気及び連通通路５０を介して静電霧化装置収納室２１内へと流入した電動送風機２の排気風の一部によって室内に拡散される。これにより、室内を浮遊する塵埃に帯電微粒子水を付着させ、空気中の塵埃に帯電微粒子水の質量を付加することで、空気中の塵埃を早く被清掃面に落下させることができ、空気中の塵埃の捕集効率を向上させることができる。さらに、空中に浮遊しているウィルス、雑菌、及びカビ菌などに帯電微粒子水を付着させることで、空中に浮遊しているウィルス、雑菌、及びカビ菌などを十分に脱臭及び除菌することができ、空気清浄効果の高い電気掃除機を提供することができる。
【００５７】
また、電動送風機２の吸引風の風量が所定値以下である場合においては、制御部３０が
静電霧化装置制御部２２への通電をＯＦＦするし、静電霧化装置３３をＯＦＦするため、帯電微粒子水放出口３７近傍のオゾン濃度の増加を抑制することができ、使用者に不快感を与えることを十分に防止することができる。
【００５８】
（実施の形態２）
本発明の実施の形態１について、図７及び図８を加えて説明する。なお、上述した実施の形態１と重複する構成については、説明を省略する。
【００５９】
図７は、本発明の電気掃除機の実施の形態２における制御ブロック図である。また、図８は、本発明の電気掃除機の実施の形態２におけるオゾン濃度と集塵袋の塵埃捕集量との関係を示すグラフである。
【００６０】
図７及び図８に示すように、本実施の形態においては、制御部３０は、風量検出部３８によって算出された電動送風機２の吸引風の風量が所定値以下である場合、すなわち、電動送風機２の排気風の風量そのものが少なく、連結通路５０を通過した電動送風機２の排気風の風量が少ない場合、静電霧化装置制御部２２への通電を間欠制御するように構成されている。
【００６１】
例えば、使用者が手元操作部６を操作して、電動送風機２の動作モードとして、吸引力の強い「強」を選択した場合、制御部３０は、手元操作部６からの信号に基づき、電動送風機駆動部３１及び電動機駆動部３２に予め定められた信号を送り、電動送風機２及び電動機１３を駆動させる。これにより、被清掃面上の塵埃が回転ブラシ１１によって掻き揚げられ、電動送風機２で発生された吸引風によって吸込具１０から吸引される。吸引された塵埃は、延長管９及びホース８を介して、掃除機本体１内の集塵袋３で捕集される。図２中、矢印Ｙで示すように、電動送風機２からの排気風（塵埃が除去された後電動送風機を通過した吸引風）は、掃除機本体１の後方に設けられた主排気口２９から掃除機本体１の外部へ排気されるとともに、その一部は、図２中、矢印Ｚで示すように、連通通路５０を介して静電霧化装置収納室２１内へと流入し、帯電微粒子水放出口３７から放出される。
【００６２】
制御部３０は、電動送風機２及び電動機１３を駆動させるのと同時に、送風機３５を動作させる。これにより、図２中の矢印Ｘに示すように、吸気口３６から外気が吸気され、吸気された外気は静電霧化装置３５へと送風され、帯電微粒子水放出口３７から掃除機本体１の外部へと放出される。
【００６３】
また、制御部３０は、送風機３５を動作させるとともに、静電霧化装置駆動部４０に信号を送り、静電霧化装置制御部２２に電力を供給し、高電圧発生部２７及び直流電源部２８を動作させる。直流電源部２８は、ペルチェ素子２３に電圧を印加し、針状電極２５を冷却する。針状電極２５が冷却されると、針状電極２５の周辺の水分が結露して、針状電極２５上に水が生成される。このとき、針状電極２５とアース電極２６との間には、高電圧発生部２７によって高電圧が印加されているため、針状電極２５とアース電極２６との間でコロナ放電が発生し、針状電極２５上に生成された水に高電圧が印加され、帯電微粒子水が生成される。
【００６４】
静電霧化装置３３によって生成された帯電微粒子水は、送風機３５によって吸気された外気及び連通通路５０を介して静電霧化装置収納室２１内へと流入した電動送風機２の排気風の一部によって、帯電微粒子水放出口３７から掃除機本体１の外部へと放出される。
【００６５】
ここで、図８に示すように、帯電微粒子水放出口３７を流れる帯電微粒子水を掃除機本体１外部へと放出させる放出風の風量は、送風機３５の送風風量Ａと連通通路５０を通過
した電動送風機２の排気風の風量Ｂとを合わせた風量Ａ＋Ｂとなる。集塵袋３に捕集された塵埃の量が多くなってくると、電動送風機２の吸引風の風量が低下し、連通通路５０を通過する電動送風機２の排気風の風量Ｂから風量Ｃへと低下する。そのため、帯電微粒子水放出口３７を流れる放出風の風量は、風量Ａ＋Ｂから風量Ａ＋Ｃへと低下し、帯電微粒子水放出口３７の近傍でのオゾン濃度が上昇する。
【００６６】
そこで、制御部３０には、電動送風機２の吸引風の風量の所定値が予め記憶されている。制御部３０は、風量検出部３８によって算出された電動送風機２の吸引風の風量が所定値以下である場合、すなわち、電動送風機２の排気風の風量そのものが少なく、連結通路５０を通過した電動送風機２の排気風の風量が少ない場合、静電霧化装置制御部２２への通電を間欠制御することにより、帯電微粒子水放出口３７近傍のオゾン濃度の増加を抑制する。
【００６７】
吸引力が標準の「中」を選択した場合及び吸引力の低い「弱」を選択した場合についても使用者が電動送風機２の動作モードとして「強」を選択した場合と同様の制御を行うことで、各種の動作モードにおいて確実に帯電微粒子水放出口３７近傍のオゾン濃度を抑制することができる。
【００６８】
ここで、本実施の形態においては、制御部３０には電動送風機２の吸引風の風量の所定値が１つ設けられている形態について説明したが、所定値は複数設けられていてもよい。これにより、各段階において間欠周期を設定し制御することが可能になるため、より最適に帯電微粒子水を排出しつつ、帯電微粒子水放出口３７近傍のオゾン濃度を抑制することができる。
【００６９】
以上のように、本実施の形態においては、電動送風機２の吸引風の風量が所定値よりも高い場合においては、帯電微粒子水放出口３７から放出される帯電微粒子水は、送風機３５によって吸気された外気及び連通通路５０を介して静電霧化装置収納室２１内へと流入した電動送風機２の排気風の一部によって室内に拡散される。これにより、室内を浮遊する塵埃に帯電微粒子水を付着させ、空気中の塵埃に帯電微粒子水の質量を付加することで、空気中の塵埃を早く被清掃面に落下させることができ、空気中の塵埃の捕集効率を向上させることができる。さらに、空中に浮遊しているウィルス、雑菌、及びカビ菌などに帯電微粒子水を付着させることで、空中に浮遊しているウィルス、雑菌、及びカビ菌などを十分に脱臭及び除菌することができ、空気清浄効果の高い電気掃除機を提供することができる。
【００７０】
また、電動送風機２の吸引風の風量が所定値以下である場合においては、制御部３０が静電霧化装置制御部２２への通電を間接制御するため、帯電微粒子水放出口３７近傍のオゾン濃度の増加を抑制することができ、使用者に不快感を与えることを十分に防止することができる。
【産業上の利用可能性】
【００７１】
本発明の電気掃除機は、帯電微粒子水を安定して供給することができるとともに、使用者に不快感を与えることを十分に防止することができる空気清浄効果の高い電気掃除機を提供することが可能となるため、帯電微粒子水を発生させる静電霧化装置を搭載した各種家庭用、業務用電気掃除機の分野・用途に好適に適用することができる。
【符号の説明】
【００７２】
１  掃除機本体
２  電動送風機
３  集塵袋
４  車輪
５  キャスター
６  手元操作部
７  塵埃検出部
７ａ  発光素子
７ｂ  受光素子
８  ホース
９  延長管
１０  吸込具
１１  回転ブラシ
１２  ベルト
１３  電動機
２０  電動送風機室
２１  静電霧化装置収納室
２２  静電霧化装置制御部
２３  ペルチェ素子
２４  放熱フィン
２５  針状電極
２６  アース電極
２７  高電圧発生部
２８  直流電源部
２９  主排気口
３０  制御部
３１  電動送風機駆動部
３２  電動機駆動部
３３  静電霧化装置
３５  送風機
３６  吸気口
３７  帯電微粒子水放出口
３８  風量検出部
４０  静電霧化装置駆動部
５０  連通通路
５１  フィルター
【図１】
2011224105.tif 000003
【図２】
2011224105.tif 000004
【図３】
2011224105.tif 000005
【図４】
2011224105.tif 000006
【図５】
2011224105.tif 000007
【図６】
2011224105.tif 000008
【図７】
2011224105.tif 000009
【図８】
2011224105.tif 000010
【図９】
2011224105.tif 000011
【図１０】
2011224105.tif 000012